(57)【要約】【課題】配管を短くし、よりコンパクト化できる粉粒物の乾燥装置を提供すること。【解決手段】遠心式の吹き上げ用送風機１０と、吸気口１１へ供給するバーナー装置２０と、熱風と共に被乾燥物が上方へ吹き上げられることを案内するように上端が解放された筒状に直立して設けられた吹き上げ用筒１４と、中途部から上端を同心状に覆って所要の空間を形成するように吹き上げ用筒に比べて径が大きく上端の位置が高くなるように筒状に設けられ、吹き上げて乾燥された前記被乾燥物である乾燥物を落下させて回収できるように上端部及び下端部が閉じられると共に該下端部に前記乾燥物を排出できる排出口３３が設けられた回収用外筒３０と、排出口３３に接続されて前記乾燥物を導入して該乾燥物と前記熱風とを分離するサイクロン分離装置４０と、サイクロン分離装置４０のホッパー４４の下側に設けられた乾燥物回収部４１とを具備する。【選択図】図１
2015064184.tif 000002
【特許請求の範囲】
【請求項１】
水分を含んだ粉粒物である被乾燥物を吹き飛ばして乾燥させる粉粒物の乾燥装置であって、
前記被乾燥物を回転羽根の中央部に通じる吸気口から吸引空気と共に吸い込んで遠心力を利用して上方へ吹き飛ばす遠心式の吹き上げ用送風機と、
前記吸引空気を加熱するために熱風を前記吹き上げ用送風機の前記吸気口へ供給するバーナー装置と、
前記吹き上げ用送風機によって前記熱風と共に前記被乾燥物が上方へ吹き上げられることを案内するように上端が解放された筒状に直立して設けられた吹き上げ用筒と、
該吹き上げ用筒の中途部から上端を同心状に覆って所要の空間を形成するように該吹き上げ用筒に比べて径が大きく上端の位置が高くなるように筒状に設けられ、吹き上げて乾燥された前記被乾燥物である乾燥物を落下させて回収できるように上端部及び下端部が閉じられると共に該下端部に前記乾燥物を排出できる排出口が設けられた回収用外筒と、
該回収用外筒の排出口に接続されて前記乾燥物を導入して該乾燥物と前記熱風とを分離するサイクロン分離装置と、
該サイクロン分離装置によって分離された該乾燥物を回収するようにサイクロン分離装置のホッパーの下側に設けられた乾燥物回収部とを具備することを特徴とする粉粒物の乾燥装置。
【請求項２】
該乾燥物回収部と前記サイクロン分離装置の前記ホッパーの排出口との間に前記乾燥物の逆流を防止するように接続されて配されたロータリーバルブ装置を具備することを特徴とする請求項１記載の粉粒物の乾燥装置。
【請求項３】
前記回収用外筒の下側の前記吹き上げ用筒に相当する部分を同心状に覆い、吹き上げ用筒から発散する熱を回収すべく遮熱するように筒状に設けられた遮熱用外筒と、
該遮熱用外筒内の加熱空気が前記バーナー装置の燃焼用送風機に吸引されるように両者を連通させる通気管とを備えることを特徴とする請求項１及び２記載の粉粒物の乾燥装置。
【請求項４】
前記サイクロン分離装置であって、前記熱風を排気する排気用送風機と、
該排気用送風機によって排気された熱風の熱量を用いて乾燥をするための乾燥室へ該熱風を送る排気管路とを備えることを特徴とする請求項１〜３記載の粉粒物の乾燥装置。
【請求項５】
前記バーナー装置が前記被乾燥物を乾燥した粉粒状の乾燥物を燃料とする燃焼装置であることを特徴とする請求項１〜４記載の粉粒物の乾燥装置。
【請求項６】
前記バーナー装置によって生じる熱風を前記送風機の前記吸気口へ供給する部分が、前記吸気口に連結された熱風の受部管路によって設けられ、該熱風の受部管路の開口に、前記バーナー装置の熱風が排出される先端部が挿入・遊嵌されるように設けられていることを特徴とする請求項１〜５記載の粉粒物の乾燥装置。
【請求項７】
前記被乾燥物がキノコ廃菌床であることを特徴とする請求項１〜６記載の粉粒物の乾燥装置。
【発明の詳細な説明】
【技術分野】
【０００１】
この発明は、水分を含んだ粉粒物である被乾燥物を吹き飛ばして乾燥させる粉粒物の乾燥装置に関する。
【背景技術】
【０００２】
従来、被乾燥物を吹き飛ばして乾燥させる乾燥装置としては、例えば、「乾燥室の上流側から熱風を供給するバーナーと、乾燥室内に投入される被乾燥物を解砕して分散させる解砕機としてのケージミルと、ケージミルの下流側に連なって乾燥室を規定する屈曲通路と、屈曲通路を通過した乾燥後の被乾燥物を分離して取り出すサイクロンと、サイクロンの下流側に配置され、屈曲通路内の被乾燥物を下流側へ吸引する吸引力を発生する吸引ファンを備える。制御盤により、被乾燥物の温度と水分量と各種入力値に応じて、ケージミルへの冷気取込み量と、バーナーへの燃料供給量と、ケージミルへの被乾燥物の供給量とを調整する（特許文献１参照）」ものが開示されている。
【０００３】
これによれば、乾燥室における被乾燥物の滞留時間が短く、短時間で被乾燥物を乾燥させ得る乾燥装置となっている。しかしながら、配管が長く装置が大型化する傾向にある。
【先行技術文献】
【特許文献】
【０００４】
【特許文献１】特開２０１２−７７９８１号公報（第１頁）
【発明の概要】
【発明が解決しようとする課題】
【０００５】
粉粒物の乾燥装置に関して解決しようとする問題点は、前述したような従来のものでは配管が長く装置が大型化することにある。
そこで本発明の目的は、配管を短くし、よりコンパクト化した粉粒物の乾燥装置を提供することにある。
【課題を解決するための手段】
【０００６】
本発明は、上記目的を達成するために次の構成を備える。
本発明にかかる粉粒物の乾燥装置の一形態によれば、水分を含んだ粉粒物である被乾燥物を吹き飛ばして乾燥させる粉粒物の乾燥装置であって、前記被乾燥物を回転羽根の中央部に通じる吸気口から吸引空気と共に吸い込んで遠心力を利用して上方へ吹き飛ばす遠心式の吹き上げ用送風機と、前記吸引空気を加熱するために熱風を前記吹き上げ用送風機の前記吸気口へ供給するバーナー装置と、前記吹き上げ用送風機によって前記熱風と共に前記被乾燥物が上方へ吹き上げられることを案内するように上端が解放された筒状に直立して設けられた吹き上げ用筒と、該吹き上げ用筒の中途部から上端を同心状に覆って所要の空間を形成するように該吹き上げ用筒に比べて径が大きく上端の位置が高くなるように筒状に設けられ、吹き上げて乾燥された前記被乾燥物である乾燥物を落下させて回収できるように上端部及び下端部が閉じられると共に該下端部に前記乾燥物を排出できる排出口が設けられた回収用外筒と、該回収用外筒の排出口に接続されて前記乾燥物を導入して該乾燥物と前記熱風とを分離するサイクロン分離装置と、該サイクロン分離装置によって分離された該乾燥物を回収するようにサイクロン分離装置のホッパーの下側に設けられた乾燥物回収部とを具備する。
【０００７】
また、本発明にかかる粉粒物の乾燥装置の一形態によれば、該乾燥物回収部と前記サイクロン分離装置の前記ホッパーの排出口との間に前記乾燥物の逆流を防止するように接続されて配されたロータリーバルブ装置を具備することを特徴とすることができる。
【０００８】
また、本発明にかかる粉粒物の乾燥装置の一形態によれば、前記回収用外筒の下側の前記吹き上げ用筒に相当する部分を同心状に覆い、吹き上げ用筒から発散する熱を回収すべく遮熱するように筒状に設けられた遮熱用外筒と、該遮熱用外筒内の加熱空気が前記バーナー装置の燃焼用送風機に吸引されるように両者を連通させる通気管とを備えることを特徴とすることができる。
【０００９】
また、本発明にかかる粉粒物の乾燥装置の一形態によれば、前記サイクロン分離装置であって、前記熱風を排気する排気用送風機と、該排気用送風機によって排気された熱風の熱量を用いて乾燥をするための乾燥室へ該熱風を送る排気管路とを備えることを特徴とすることができる。
【００１０】
また、本発明にかかる粉粒物の乾燥装置の一形態によれば、前記バーナー装置が前記被乾燥物を乾燥した粉粒状の乾燥物を燃料とする燃焼装置であることを特徴とすることができる。
【００１１】
また、本発明にかかる粉粒物の乾燥装置の一形態によれば、前記バーナー装置によって生じる熱風を前記送風機の前記吸気口へ供給する部分が、前記吸気口に連結された熱風の受部管路によって設けられ、該熱風の受部管路の開口に、前記バーナー装置の熱風が排出される先端部が挿入・遊嵌されるように設けられていることを特徴とすることができる。
【００１２】
また、本発明にかかる粉粒物の乾燥装置の一形態によれば、前記被乾燥物がキノコ廃菌床であることを特徴とすることができる。
【発明の効果】
【００１３】
本発明にかかる粉粒物の乾燥装置によれば、配管を短くし、よりコンパクト化できるという特別有利な効果を奏する。
【図面の簡単な説明】
【００１４】
【図１】本発明にかかる粉粒物の乾燥装置の形態例を示す全体図である。
【発明を実施するための形態】
【００１５】
以下、本発明にかかる粉粒物の乾燥装置の形態例を添付図面（図１）に基づいて詳細に説明する。この粉粒物の乾燥装置は、水分を含んだ粉粒物である被乾燥物を吹き飛ばして乾燥させる装置である。
なお、粉粒物とは、例えば、木材チップやオガ粉などの木質材や草質材の粉砕物である。また、きのこの菌床栽培で発生するきのこ廃培地も含まれる。さらに、この粉粒物とは、含水有機物であって粉状及び／又は粉状の物を含む。
【００１６】
１０は遠心式の吹き上げ用送風機であり、被乾燥物を回転羽根の中央部に通じる吸気口１１から吸引空気と共に吸い込んで遠心力を利用して上方へ吹き飛ばすことができる。この吹き上げ用送風機１０としては例えばターボファンを用いることができる。なお、前記被乾燥物は攪拌機１６からスクリューコンベア１５を介して吹き上げ送風機１０へ供給される。
【００１７】
２０はバーナー装置であり、吸引空気を加熱するために熱風を吹き上げ用送風機１０の吸気口１１へ供給するように設けられている。
また、このバーナー装置２０によって生じる熱風を吹き上げ用送風機２０の吸気口１１へ供給する部分が、前記吸気口１１に連結された熱風の受部管路１２によって設けられ、該熱風の受部管路１２の開口に、バーナー装置２０の熱風が排出される先端部が挿入・遊嵌されるように設けられている。
なお、本形態例のバーナー装置２０では前記被乾燥物を乾燥した粉粒状の乾燥物を燃料としている。また、前記乾燥物よりなる燃料は攪拌機２２からスクリューコンベア２１を介してバーナー装置２０へ供給される。
【００１８】
１４は吹き上げ用筒であり、吹き上げ用送風機１０によって前記熱風と共に前記被乾燥物が上方へ吹き上げられることを案内するように上端が解放された筒状に直立して設けられている。
【００１９】
３０は回収用外筒であり、吹き上げ用筒１４の中途部から上端を同心に覆って所要の空間を形成するようにその吹き上げ用筒１４に比べて径が大きく上端の位置が高くなるように筒状に設けられ、吹き上げて乾燥された前記被乾燥物から生じた乾燥物を落下させて回収できるように上端部３１及び下端部３２が閉じられると共にその下端部３２に前記乾燥物を排出できる排出口３３が設けられている。
【００２０】
これによれば、内筒部である吹き上げ用筒１４と回収用外筒３０との間に空間を設けることにより乾燥空間を確保することができ、二重筒構造となっているため、配管短くすることができる。さらに吹き上げ用筒１４の外側にフィンを設けることで、前記乾燥物が急降下することを防止して、適切な滞留時間を稼ぐことができると共に、不均一に降下することを抑制でき、より乾燥効率が上昇する。また、この回収用外筒３０の下端部３２は斜面に形成されており、前記乾燥物を排出口３３からスムースに排出できるようになっている。
【００２１】
４０はサイクロン分離装置であり、回収用外筒３０の排出口３３に接続されて前記乾燥物を導入してその乾燥物と前記熱風とを分離する。
４１は乾燥物回収部であり、サイクロン分離装置４０によって分離された前記乾燥物を回収するようにサイクロン分離装置４０のホッパー４４の下側に設けられている。
【００２２】
４２はロータリーバルブ装置であり、乾燥物回収部４１とサイクロン分離装置４０のホッパー４４の排出口４３との間に前記乾燥物の逆流を防止するように接続されて配されている。
このように、ロータリーバルブ装置４２を配することにより、サイクロン分離装置４０による分離効果がより高まる。
【００２３】
５０は遮熱用外筒であり、回収用外筒３０の下側の吹き上げ用筒１４に相当する部分を同心に覆い、吹き上げ用筒１４から発散する熱を回収すべく遮熱するように筒状に設けられている。
５１は通気管であり、遮熱用外筒５０内の加熱空気がバーナー装置２０の燃焼用送風機５２に吸引されるように両者を連通させている。
【００２４】
これによれば、吹き上げ用筒１４より生まれる熱を利用して空気を加熱し、通気管５１及び燃焼用送風機５２を介して、バーナー装置２０へ加熱空気を送り込むことにより、バーナー装置２０での燃焼が効率的になされ、乾燥効率がより高まる。特に冬季に有効である。
【００２５】
６０は排気用送風機であり、サイクロン分離装置４０の構成要素として、熱風をサイクロンの排気管４４を介して排気するように設けられている。
また、６１は排気管路であり、排気用送風機６０によって排気された熱風の熱量を用いて乾燥をするための乾燥室７０へその熱風を送るように設けられている。
【００２６】
この乾燥室７０としては、被乾燥物を前処理として乾燥させる前処理施設とすることができる。
これによれば、サイクロン分離装置４０より排気された熱風を前処理乾燥施設の床部より排出するように、排気管路６１を配することで、その前処理乾燥施設内の室温が上がり、その前処理乾燥施設内部に貯留されている被乾燥物を乾燥することができる。なお、その前処理乾燥施設内部に貯留されている被乾燥物を定期的にトラクターなどで攪拌すると乾燥効率を向上できる。
【００２７】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２８】
１０  吹き上げ用送風機
１１  吸気口
１２  受部管路
１４  吹き上げ用筒
１５  スクリューコンベア
１６  攪拌機
２０  バーナー装置
２１  攪拌機
２２  スクリューコンベア
３０  回収用外筒
３１  上端部
３２  下端部
３３  排出口
４０  サイクロン分離装置
４１  乾燥物回収部
４２  ロータリーバルブ装置
４３  排出口
４４  サイクロンの排気管
５０  遮熱用外筒
５１  通気管
５２  燃焼用送風機
６０  排気用送風機
６１  排気管路
７０  乾燥室
【図１】
2015064184.tif 000003